(57)【特許請求の範囲】
【請求項１】
水泳補助アクセサリ（１０、１０’、２０、２０’、５０、５１、８０）であって、
両手でのグリップに適したストロークの際に前記アクセサリを保持する保持手段（６）と、
重力に反する浮力による鉛直力（８）を水によって前記アクセサリに及ぼすことができるフロート（４１、４０、４３）と、
前記アクセサリが水中で平衡位置（Ｐ１）にあるときに、実質的に水面（２）下で前記保持手段の重心を保持するためのバラスト（３）を有するボディ（５）と、を備え、
前記保持手段（６）は前記ボディ（５）と前記フロート（４１、４０、４３）との間にジャンクションを形成しており、前記ボディ（５）の上部は水泳者の両手のために設計された、もたれかかり領域を形成している前記バラスト（３）を有することを特徴とする水泳補助アクセサリ。
【請求項２】
前記バラスト（３）の質量中心および前記保持手段（６）の重心は、実質的に接近していることを特徴とする請求項１に記載の水泳補助アクセサリ。
【請求項３】
前記バラスト（３）は、前記平衡位置（Ｐ１）において完全に浸漬されることを特徴とする請求項１に記載の水泳補助アクセサリ。
【請求項４】
前記アクセサリの前記平衡位置（Ｐ１）は、水位（２）の下方１ｃｍ〜６０ｃｍの間の前記保持手段（６）の重心位置に相当することを特徴とする請求項１から３のいずれか一項に記載の水泳補助アクセサリ。
【請求項５】
前記アクセサリの質量中心は、前記保持手段（６）の質量中心に実質的に接近していることを特徴とする請求項１から４のいずれか一項に記載の水泳補助アクセサリ。
【請求項６】
前記アクセサリは、前縁（４４）を備えることを特徴とする請求項１から５のいずれか一項に記載の水泳補助アクセサリ。
【請求項７】
前記フロート（４１）および前記バラスト（３）を固定するためのボディ（５）を備えることを特徴とする請求項１から６のいずれか一項に記載の水泳補助アクセサリ。
【請求項８】
前記バラスト（３）および／または前記フロート（４０）の位置の調節手段（５２、５３）は、前記アクセサリの前記平衡位置を水位線（２）の下方で調節することができることを特徴とする請求項１から７のいずれか一項に記載の水泳補助アクセサリ。
【請求項９】
前記アクセサリは、固定位置に前記バラストを保持することができる区画を有していることを特徴とする請求項１から８のいずれか一項に記載の水泳補助アクセサリ。
【請求項１０】
前記ボディ（５）は、前記保持手段（６）を有することを特徴とする請求項１から９のいずれか一項に記載の水泳補助アクセサリ。
【請求項１１】
前記バラスト（３）は前記保持手段（６）を有することを特徴とする請求項１から８のいずれか一項に記載の水泳補助アクセサリ。
【請求項１２】
前記アクセサリが水平移動を確保しながら前記アクセサリを徐々に浸漬する傾向にある水泳者の力にさらされるとき、前記水泳者の水平移動において前記水泳者の体のうねりを伴うように、復元力が前記フロートによって作り出されることを特徴とする請求項１から１１のいずれか一項に記載のうねり水泳補助アクセサリ。
【請求項１３】
前記バラスト（３）の質量中心を有する鉛直面は、前記保持手段（６）の重心を有し、水泳方向に向かっている鉛直面と実質的に一体化されていることを特徴とする請求項１から１２のいずれか一項に記載のうねり水泳補助アクセサリ（８０）。
【請求項１４】
前記バラスト（３）の質量中心を有する鉛直軸は、前記保持手段（６）の重心を有する鉛直軸と実質的に一体化されていることを特徴とする請求項１から１３のいずれか一項に記載のうねり水泳補助アクセサリ（８０）。
【請求項１５】
前記保持手段（６）の重心を有する鉛直軸は、前記フロート（４３）の重心を有する鉛直軸と実質的に一体化されていることを特徴とする請求項１から１４のいずれか一項に記載のうねり水泳補助アクセサリ（８０）。
【請求項１６】
前記保持手段は、両手が部分的に重なり合っている両手でのグリップに適するように構成されていることを特徴とする請求項１から１５のいずれか一項に記載のうねり水泳補助アクセサリ（８０）。
【請求項１７】
前記保持手段は、両手が矢状タイプの位置にある両手でのグリップに適するように構成されていることを特徴とする請求項１から１６のいずれか一項に記載のうねり水泳補助アクセサリ（８０）。
【請求項１８】
前記ボディ（５）がストロークの際に浸漬されるように設計された前記アクセサリの下部を形成し、
水泳者の両手でのグリップに適するように構成された前記アクセサリを保持する保持手段であって、両手が部分的に重なりあうように設計されており、前記ボディ（５）の上部（６１）に延びて前記ボディ（５）の上部でもたれかかり領域を形成する保持手段（６）を備えることを特徴とする請求項１から１７のいずれか一項に記載の水泳補助アクセサリ。
【請求項１９】
前記アクセサリの前記保持手段（６）は、前記ボディ（５）と前記フロート（４３）との間にジャンクションを形成し、前記ジャンクションが水泳者が重なり合せた両手で握るのに適した形状である矢状タイプグリップ形状を有することを特徴とする請求項１８に記載の水泳補助アクセサリ（１０、１０’、２０、２０’、５０、５１）。
【請求項２０】
請求項１〜１９のいずれか一項に記載のアクセサリを備える水泳補助システムであって、
さらに、水泳者が前記水泳者の腕の長さで前記アクセサリを保持するときに、前記水泳者が前記アクセサリの前記平衡位置を保つことができるバラストベルトを備えることを特徴とする水泳補助システム。
【発明の詳細な説明】
【技術分野】
【０００１】
本発明の分野は水泳補助アクセサリに関する。特に本発明はバタフライ、ドルフィン泳法、または平泳ぎのようなうねりが同時に起こる泳法（stroke）を学んだり完成させたりすることを可能にする装置に関する。本発明の分野は、また、「造波抗力」の抵抗を避けるために深さを安定化させるためのアクセサリを探している、より経験を積んだ水泳者のための水泳補助アクセサリに関する。
【背景技術】
【０００２】
スイミングプールまたは海辺においてよく見受けられる多数の水泳補助アクセサリがある。
【０００３】
これらのアクセサリの中で、スイミングプールには、キックボードと呼ばれるスイミングボードがあり、これは彼／彼女の体の上部の安定性を彼／彼女に提供することによって水泳者（swimmer）を助けることを可能にする。このアクセサリによって、水泳者は、部分的な進歩のために彼／彼女の体の下部に集中することができる。従って、水泳者は彼／彼女の体の上部について気にする必要なく、彼／彼女の足をいかに蹴るか、または熟練したストロークに従ったカエルのような動きをいかに行うか、について学ぶことができる。
【０００４】
その上、両脚の内側形状に適応した、プルブイとも呼ばれるブイがあり、水泳者は接触によってブイを保持するためにブイを圧迫しなければならない。通常、それら（ブイ）は、両脚の間での良好な保持を可能にする８の字の形を有している。前述のアクセサリとは異なり、このアクセサリは、泳法努力を体の上部に集中させることを可能にする。もう一つの代替手段は、ストラップによって結び付けられた２つの円筒のアセンブリで構成される。
【０００５】
プルキックとも呼ばれる第３の装置は、８の字状のボードである。このボードは両脚の間に挿入されるように設計されており、両脚の間でのより良い保持を可能にする。従来の「ボード」に比べて堅いので、このボードは連続した動きの開始およびターンにおける水中での滑らかな動き（underwater glide）を可能にする。
【０００６】
泳法学習法において、アクセサリは特定の部分に注意および泳法の努力を集中させるために利用できる。この学習は、体の束縛されていない部分によるストロークの際に作り出される動きに反する安定性の増大を提供することによって体の部分の動きを制約することを求める。
【０００７】
加えて、体の部分の動きを束縛することを目的としない水泳補助アクセサリがある。これは水かき（swim fins）およびパドルの場合であり、水泳者に対して下半身の感覚を増大させるために体の下半身に努力を集中させることを可能にする。従って、水泳者は、蹴りの感覚のより大きなスケールに従って、彼／彼女の足／脚をいかに蹴るかを学ぶことができる。このアクセサリは、クロールのような泳法を学ぶために役立つが、その特性は体の部分の動きを増幅する。従って、望ましい効果である「力の配分の不均整」を作り出すことを促進する。
【０００８】
他方、体のうねり運動を伴うバタフライのような水泳者の体のうねりに基づいた泳法のための水泳アクセサリはない。
【０００９】
平泳ぎのための水泳補助アクセサリは、動作を部分的に働かせることができる。他方、うねり運動の改善に必要な推進力を作り出すことおよび水泳者の努力を伴わせることを可能にするアクセサリはない。
【００１０】
前述したようなアクセサリは、特に安定性の増大を提供し、体のうねりの広がりを抑制することに帰結する。
【００１１】
前述したようなアクセサリは、従って、水中で体のうねりを改善することを望んでいる水泳者に対しては相いれないように思われる。けれども体のうねりは、例えばバタフライなどを学ぶときには制御されるべき必須のパラメータである。
【発明の概要】
【発明が解決しようとする課題】
【００１２】
本発明は、上述の欠点を克服することを可能にする。
【００１３】
本発明は、学ぶべき水泳者の体のうねりに基づいた泳法を可能にするアクセサリを提供する。しかしながら、それはまた、体のうねりを止めることのない、安定性および案内の要素を提供する。アクセサリによって、うねる感覚を改善することができる。
【課題を解決するための手段】
【００１４】
本発明の目的は、以下を備える水泳補助アクセサリに関する。
・ストロークの際にアクセサリを保持する保持手段と、
・重力に反する浮力による鉛直力を水によって前記アクセサリに及ぼすことができるフロートと、
・アクセサリが水中で平衡位置にあるときに、実質的に水面下で保持手段の重心を保持するためのバラストと、を備える。
【００１５】
アクセサリは、以下を可能にする。
・うねらせる泳法の動きの、うねり、同期化および滑らかさの重要性を本当に感じること。
・リズム、フレキシビリティおよびリラックスを感じること。
・両腕と両脚を用いて強いられた前進というより、うねらなければならない全身を用いるストロークを感じること。
・腕の動きによるエネルギー損失を制限することにより、より長いプッシューオフのままでいること。
・造波抗力が最大であるような流体力学的抵抗を制限するための水中の泳ぎ。
【００１６】
改善された１実施形態によれば、バラストの質量中心および保持手段の重心は、実質的に接近している。それらはまた、一体化されることができる。
【００１７】
利点は、以下である。
・アクセサリによって促進されたうねりに、脚だけでなく全身が使われて動かされる。
・特に骨盤のうねりが、上半身の動きを制限することなく求められる。
【００１８】
１実施形態によれば、バラストは平衡位置において完全に浸漬される。
【００１９】
１実施形態によれば、アクセサリの平衡位置は、水位の下方、１〜５０ｃｍの間の保持手段の重心位置に相当する。
【００２０】
それらのパラメータを更に改善するために、アクセサリの平衡位置は、水位の下方、１５〜６０ｃｍの間の保持手段の重心位置に対応する。
【００２１】
最終的に、アクセサリの質量中心は、保持手段の質量中心に実質的に接近するように選択されることができる。
【００２２】
バラストの位置および／またはバラストの重量を調整する手段は、アクセサリの平衡位置を調節することができる。
【００２３】
本発明の１実施形態によれば、アクセサリは、フロートおよびバラストを固定するためのボディを備える。
【００２４】
それぞれが、協働することができる実施形態によれば、
・アクセサリのボディは、固定された位置でバラストを受容および保持することができる区画を有している。区画は、異なる大きさのバラストを受容するように構成されることができる。
・ボディは保持手段を有する。
・保持手段は、アクセサリのボディにモールドされている。
・アクセサリの保持手段は、バラストと一体化されている。
・フロートは、鉛直軸に沿って延びている。
・アクセサリは、例えば、水力学的断面のような前縁（leading edge）を備える。
【００２５】
好ましくは、アクセサリが水平移動を確保しながらアクセサリを徐々に浸す傾向にある水泳者の力にさらされるとき、彼／彼女（水泳者）の水平移動において水泳者の体の上下方向のうねりを伴うように、復元力がフロートによって作り出される。
【００２６】
好ましくは、バラストの質量中心を有する鉛直面は、保持手段の重心を有して水泳方向に向かっている鉛直面と実質的に一体化されている。
【００２７】
好ましくは、バラストの質量中心を有する鉛直軸は保持手段の重心を有する鉛直軸と実質的に一体化されている。
【００２８】
好ましくは、保持手段の重心を有する鉛直軸はフロートの重心を有する鉛直軸と実質的に一体化されている。
【００２９】
好ましくは、保持手段は、両手が部分的に重なり合っている、両手でのグリップに適している。
【００３０】
好ましくは、保持手段は、両手が矢状タイプの位置にある、両手でのグリップに適している。
【００３１】
本発明の別の目的は、また、図８Ａ、８Ｂ、９Ａ、９Ｂ、９Ｃおよび１０により参照されて記載されている、下部にバラストを備えない水泳補助アクセサリに関する。
【００３２】
このアクセサリは、以下を備える。
・ストロークの際に浸漬されるように設計されたアクセサリの下部を形成するボディと、
・水泳者の両手でのグリップに適するように構成されたアクセサリを保持する保持手段であって、両手が部分的に重なりあうように設計されており、保持手段はボディの上部に延びており、前記ボディの上部はもたれかかり領域を形成する保持手段と、
・重力に反する浮力による鉛直力を水によってアクセサリに及ぼすことができるフロートと、を備える。
【００３３】
本発明の別の目的は、前述したような水泳アクセサリを備える水泳補助システムに関し、さらに、彼／彼女（水泳者）がそれ（アクセサリ）を彼／彼女（水泳者）の腕の長さで保持するときに、アクセサリの平衡位置を水泳者に保たせることを可能にするバラストベルトを備える。
【００３４】
１つの利点は、「水泳者にぴったりと合ったベルトおよびアクセサリ」によって形成されたアセンブリを、平衡位置に近い実質的に一定の深さで保持することができることにある。  
【００３５】
この理由は、頭と腕は、平衡位置において体の残りの部分よりも沈まないことである。
【００３６】
この配置は、水力学的な性能を中心としたストロークのためには適切である。特に、仮に水泳者がシュノーケルに適合しているのであれば、呼吸のために一定の間隔で再浮上する必要はないからである。
【００３７】
本発明の更なる特徴や利点は、図面を参照しながら、引き続く詳細な説明を読むことによって明らかになる。
【図面の簡単な説明】
【００３８】
【図１Ａ】本発明による水泳アクセサリの第１の実施形態の２つの代替手段のうちの一つを示す図である。
【図１Ｂ】本発明による水泳アクセサリの第１の実施形態の２つの代替手段のうちの別の一つを示す図である。
【図２Ａ】本発明による水泳アクセサリの第２の実施形態の２つの代替手段のうちの一つを示す図である。
【図２Ｂ】本発明による水泳アクセサリの第２の実施形態の２つの代替手段のうちの別の一つを示す図である。
【図３Ａ】力の存在を表すアクセサリの２つの別の実施形態の２つの使用のうちの一つを示す図である。
【図３Ｂ】力の存在を表すアクセサリの２つの別の実施形態の２つの使用のうちの別の一つを示す図である。
【図４Ａ】水泳者のストロークによって形成されるうねりの際の水泳者の異なる位置を示す図である。
【図４Ｂ】水泳者のストロークによって形成されるうねりの際の水泳者の異なる位置を示す図である。
【図４Ｃ】水泳者のストロークによって形成されるうねりの際の水泳者の異なる位置を示す図である。
【図５】フロートとバラストとの間に距離を調整する手段を有する本発明による２つの別の実施形態を示す図である。
【図６】保持手段を旋回することができる別の実施形態を示す図である。
【図７】振動制限装置を備える別の実施形態を示す図である。
【図８Ａ】本発明によるアクセサリのコンパクトな実施形態を示す図である。
【図８Ｂ】本発明によるアクセサリのコンパクトな実施形態を示す図である。
【図９Ａ】図８Ａの実施形態に用いる矢状タイプグリップを示す図である。
【図９Ｂ】図８Ｂの実施形態に用いる矢状タイプグリップを示す図である。
【図９Ｃ】図１０の実施形態に用いる矢状タイプグリップを示す図である。
【図１０】本発明によるアクセサリのコンパクトな実施形態を示す図である。
【発明を実施するための形態】
【００３９】
以下の記述において、アクセサリが重力および浮力によって生じる力のみを受けるときにアクセサリが存在する水中での位置は、平衡位置またはアクセサリの平衡と称される。平衡位置は、水位の下方における、保持手段の重心が位置している所でのｃｍで表される深さによって定義されることができる。別のアプローチによれば、平衡位置はバラストの質量中心の深さによって定義することができる。
【００４０】
図１Ａおよび１Ｂは、水泳補助アクセサリ１０、１０’の第１の実施形態を示す。  
【００４１】
図１Ａは、第１の実施形態の第１の代替手段１０を示す。アクセサリ１０は、ボディ５、フロート４１、複数のハンドル６のような保持手段、バラスト３を備える。
【００４２】
水泳アクセサリ１０は、水泳者が前記アクセサリを２つのハンドル６でつかむことができるように用意されている。バラストおよび保持手段は、ストロークの際に浸漬されるように設計されたアクセサリの下部に配置されている。ボディ５は、鉛直に延びている。アクセサリ１０の上部において、フロートは、ボディを取り囲んでいる円筒状の部分４２によって保持されている。２つのフロート４３は、ボディの両側に延びている。
【００４３】
フローティング要素４１は、ボディ５の上でボディの上端部の方へ滑らせることによって、交換されることができる。このことは、例えばフロート４１を泳法事情および水泳者の体格に適応させることができる。
【００４４】
バラスト３は、使用時に水中に浸漬されるように設計された重りであり、水位の近傍からある距離を置いて釣り合いを保たせるためにアクセサリを平衡させることができる。バラスト３は、最適な平衡点を規定することができる重量によって調整されることができる。  
【００４５】
図示しない代替手段によれば、ボディ５は、バラストを同一物として形成するようにその下部に備える。この場合、バラストは、その上部に中空の部分を延ばしているボディ５の硬い部分によって規定されることができる。別の代替手段によれば、ボディ５は、モールドまたは機械的組立によって２つの部分に組み立てられることができる。下部はバラスト３を備えており、上部はフロート４１を固定するためである。
【００４６】
最適化された平衡点は、水泳者が彼の頭を水位線と交差させて、および彼の両腕及び両手を水面下で浅い深さで位置させて、水表面に横たわっているときの、図３Ａの位置に相当している。
【００４７】
図１Ｂは、バラスト３が保持手段６に一体化されている第２の別の実施形態１０’を示す。そのようなアクセサリを作るために、高密度材料製のハンドルを選択することができる。バラスト３および保持手段５は単一の物体を形成することができる。
【００４８】
図２Ａおよび２Ｂは、水泳補助アクセサリ２０、２０’の第２の実施形態を示す。
【００４９】
図２Ａは、第２の実施形態の第１の代替手段２０を示す。アクセサリ２０は、フロート４０、複数のハンドル６のような保持手段、バラスト３、およびボディ５を備える。
【００５０】
この実施形態において、ボディ５およびバラスト３は、単一の物体３、５を形成する。フロート４０は、鉛直に保持されたボードとして作られている。ボード４０は、ストロークの際にアクセサリの両側の流れを改善するための前縁４４を備えることができる。
【００５１】
ボディ５またはバラスト３の形状によれば、前縁はまた、双方の要素のうちの一つを備えることができる。
【００５２】
後縁は、ボディまたはフロート、またはバラストの上にさえも作られることができる。例えば、ＮＡＣＡタイプの形状が利用できる。
【００５３】
図２Ｂは、第２の実施形態の第２の代替手段２０’を示す。この代替手段においては、フロート４０は、そのなかにバラスト３を挿入するための区画を有する。フロートは、バラストを誘導するために穴を掘られることができる。例えば、「スロット」タイプの穴は、バラスト３を支持することを可能にする。この代替手段においては、バラストは、ボード４０の両側で握ることを可能にする形状を有している。この場合、保持手段およびバラストは、同一の部品から作られており、換言すれば、双方の機能を有する同一の物体である。
【００５４】
図２Ｂの実施例においては、バラストは、ディスク形状を有することができる。別の実施形態によれば、形状は、水泳者がアクセサリを保持することができるグリップを形成する部分を有する実質的にディスク形状であり、別の直径方向の向かい合った部分は、アクセサリの周りの水流を促進するためにボードの両側に前縁を形成している。
【００５５】
フロート４０は、好ましくは、発泡スチロール（expanded polystyrene）、ポリウレタンフォーム、発泡ポリエチレン（polyethylene foam）などのような、膨張された又は発泡されたポリマーであることができる。これらの材料は、一方では良好な浮力を可能にし、他方ではボードのスロットに挿入されるバラスト３が物理的な接触および摩擦によって保持されることを可能にする。
【００５６】
水泳者は、バラスト３上でアクセサリを直接的に保持することができる。利点は、アクセサリのグリップが、フロート４０にバラストを保持することを助けることである。図２Ｂの実施形態によれば、ストロークの際に水泳者によってアクセサリに及ぼされる力は、スロット内でバラストを保持するために役立つように、バラスト３の力がスロット端部の内側に向かって生成されることを可能にする。
【００５７】
図３Ａは、水泳者が、水中でアクセサリを水平に保持しているときの、第１の実施形態の第１の代替手段によるアクセサリ１０を示す。このように保持されているアクセサリは、それ（アクセサリ）を部分的に浸漬させることのできる２つの力を受ける。第１の力は、主としてバラストであるアクセサリの重量によってもたらされる。第１の力９は、下方に向かっており、アクセサリの浸水に依存しない。それと反対の第２の力は、浮力によってもたらされる。この第２の力は、上方に向かっており、アクセサリの深さに応じて変化する。アクセサリがより深く浸漬されればされるほど、アクセサリを再浮上２させるようなより大きな力を浮力が及ぼす。もし、アクセサリが水面２に近接していれば、結果として生じる力は、アクセサリを下方に動かす重力と同じ方向を有する。逆に、アクセサリがほとんど完全に浸漬されているときには、結果として生じる力は、浮力８と同じ方向を有しアクセサリを上方に動かす。
【００５８】
フロート４１およびバラスト３は、従って水位２の直下に平衡点が得られるように選択される。最適化された平衡点は、水泳者が彼の前に両手を伸ばして水中で横になっている基準位置に対して得られる。水泳者の重量および大きさによってこの位置は、理想的には１０ｃｍから６０ｃｍの間の深さである。特に、うねりの維持に関連して最適化された結果は、１５ｃｍから４０ｃｍの深さで得られる。この平衡点において、結果として生じる力８および９は、ゼロである。
【００５９】
図３Ｂは、図２Ａに記載された第２の実施形態の第１の代替手段のアクセサリを有する水泳者１を示す。この場合、一方では重力によって、他方では浮力によって発生している双方の力、９、８は、また、アクセサリに及ぼされている。
【００６０】
双方の実施形態のそれぞれは、利点を有する。第１の実施形態は、水泳者が深く下方に沈むときに、水泳者が再浮上することをより容易に可能にするフロートの形状のおかげで、水泳者のうねりをより容易に増進することができる。水泳者は、彼の再浮上の際に、推進力を発生させることを得ながら、スピード感覚を得る。この力は、水泳者が体のうねりに基づいた泳法を実行するときに、水泳者が彼の体にうねりの広がりを感じることを可能にする。
【００６１】
第２の実施形態においては、より流線形の形状がストロークスピードを改善することを可能にし、おそらく、より熟練した水泳者にとって好ましいであろう。
【００６２】
図４Ａ、４Ｂ、４Ｃは、うねらせる泳法の際に、アクセサリによって与えられる効果をよりよく理解するために示す。各図は、位置、Ｐ１、Ｐ２およびＰ３をそれぞれ示す。
【００６３】
Ｐ１は基準位置を示す。初期位置のすぐ後で、水泳者１は、彼の平衡位置のもとでアクセサリ１０を潜水させることによりうねりを始める。結果として得られる彼の動きの方向をベクトル２１で示す。第１に、アクセサリのバラストの重量は、潜水の感覚を所定の深さまで得ることおよび高めることを可能にする。その後、位置Ｐ２に到達する直前に、水泳者は増加した浮力によって誘発された復元力を感じ始める。
【００６４】
位置Ｐ２は、保持手段がうねり２０の実質的に谷、すなわち、最も深い位置にあるときに水泳者がいる位置を表す。この位置において結果として生じる浮力は、彼のうねりおよび重力に反する水泳者の位置に関して、実質的に最大強度である。それは、ベクトル２２によって示される彼の再浮上運動を伴うことにより、水表面に向かって水泳者を至らせる。アクセサリに働かされる浮力が、彼のうねり２０の進展を推進する。水泳者は、彼が水面に到達して浮力が減少されるまで、ほとんど浮力の推進によって動かされる。そのとき、バラスト３の影響力は位置Ｐ３に再浮上するまで徐々に低下する。
【００６５】
位置Ｐ３は、アクセサリの保持手段の重心がうねり２０の最高位置であるときであり、水泳者がほとんど再浮上している場合を示す。この位置は、バラストの質量中心のうねりにおける最高位置に相当する。この位置においては、ボディ５およびフロート１０は、ほとんど水の外にあるので浮力は最小である。バラスト３の重量は、浮力に反して重力をもたらし、アクセサリを底の方に動かす。重力の力は、水泳者１が彼のうねり２０を続けることを可能にする方向２３に沿って戻ってくることを可能にする。水泳者は、アクセサリ１０によって増進されたうねり２０の周期的な正弦曲線運動を感じることができる。
【００６６】
図５は、アクセサリ５０がバラスト３およびフロート４０を備える別の実施形態を示す。ボディは、この場合にはバラスト３であることができる。ラック５２は、バラストとフロートとの間の距離を調節することを可能にする。アクセサリの質量中心および従ってアクセサリの水中での平衡位置を調整するのは、調整手段５２である。これらの調整手段は、水泳者の体格に応じて水中での所望の距離に平衡位置を調節することを可能にする。
【００６７】
別の実施形態５１は図５に示される。この実施形態においては、平衡点が水中で実質的に移動できる領域をリング５３がフロート４０に沿ってスライドする。
【００６８】
本発明によるアクセサリは、最小量の代謝エネルギーを用いながら所定の距離に沿って最も迅速な移動スピードを身につけることに、水泳者の目的を至らせることができる。このような状況において、運動のエネルギー損失は運動能力の追及における学習の決定的なパラメータとして表れる。
【００６９】
本発明による水泳アクセサリの利点は、全身的なうねる動作および関連するエネルギー消費を改善することを目的としながら鉛直方向にシフトする振動を通じて、水泳者の動きを活性化させることおよび伴わせることを可能にすることである。
【００７０】
最終的に、図５は、水泳者の体のうねりに基づいた泳法のための、従って完全な補助システムを形成する単一の水泳フィンを用いて、アクセサリが好ましく用いられることができる１実施形態を示す。単一の水泳フィンおよびアクセサリの組み合わされた効果は、必要な振動感覚を増進させることができて、そのような泳法を学習するための効率的なシステムに該当することである。アクセサリによって上半身で、および単一の水泳フィンによって下半身で、増幅されているうねり効果によって、水泳者は、彼の体を通じて増進されたうねりを感じることができる。    
【００７１】
図５は、また、フロートから形成された第１の中空上部部分、および第１の部分から離れた、水のような液体が挿入されることができる第２の中空部分を有する中空ボディをアクセサリが備えることができるように規定される１実施形態を可能にする。第２の部分は、液体を導入するための開口部および第２の部分を閉じるキャップを備えることができる。この実施形態の利点は、バラストの重量を選択された構造によって調整することができることである。この選択された構造は、平衡点を所望の振動および水泳者の体格に応じて規定することを可能にする。
【００７２】
別の実施形態によれば、フロートは、平衡点の位置を膨らんだ体積に応じて調整することが可能な空気注入式の要素であることができる。
【００７３】
図６は、ボードのようなフロート４０が、突起のような保持手段６を固定するための区画を有している別の１実施形態を示す。後者は水泳者１によってフロートの両側でつかまれるためにある。この代替手段においては、バラスト３は、以下のいずれかであることができる。
−例えばより高い密度を有するフロートと一体化されたボディを形成するフロートの下部において一体化された、または、
−ハンドル６を形成する突起と一体化された。
【００７４】
この代替手段は、ボード４０を水泳プール用のボードとして慣習的に用いられることができるように、保持手段を軸６０の周りに旋回させることができる特徴を示す。
【００７５】
保持手段が旋回されるとき、後者（旋回）によって引き起こされる抗力は最小である。事実、フラットで用いられているボードにおいて、複数のハンドル６は、さらに有用なガイド要素を形成することができる尾根（ridge）を形成する。
【００７６】
図７は、アクセサリが振動制限装置を備える１実施形態を示す。図７の実施例において、この装置は複数のハンドル６に一体化された１つの表面によって形成されており、呼吸をするためにうねりの頂点に到達している水泳者が、この表面にもたれかかってより容易に再浮上することを学ぶことができるように構成されている。有益な効果は、水泳者が保持手段にもたれかかっているとき、うねりの頂点に位置しているこの点において、動きをスローダウンすることである。もし、水泳者がもたれかかっていなければ、もたれかかり表面はこの効果を提供することができないし、この決定は水泳者による。保持手段は、従って、うねりの際の抗力を最小化するように適応された形状を備えることができ、水泳者がハンドルにもたれかかって底面の方へ彼の両腕を伸ばすときに、もたれかかり力の生成を最適化することができる。
【００７７】
別の１実施形態によれば、振動制限装置は、例えばその上端部でフロート５０に直接的に配置された、実質的に水平なもたれかかり表面を備えることができる。
【００７８】
さらに別の実施形態によれば、このもたれかかり表面は、バラスト上に直接的に配置されることもできる。
【００７９】
水泳者のエネルギーを振動装置によって変換および蓄積するフローティング装置のおかげで、アクセサリは水泳者の少ない労力を可能にし、水泳者を随伴されることができる。加えてアクセサリの目的は、ストロークの運動学を伴うこと又はストロークの運動学に影響を与えることであり、および、制御された表面深さで動かすことである。このことは、彼／彼女が学ぶことを可能にしながら、水泳者の関節および腱をより少なく使用することを可能にする。
【００８０】
アクセサリは、従って、技術的支援に関する第１の機能および、技術的支援に関する第２の機能を備えることができる。
【００８１】
本発明によるアクセサリを使用している水泳者によって感じられる追加の効果は、彼／彼女の体のなめらかな振動が得られるおかげで得られるよりよい水泳感覚、および、ストロークの際のアクセサリによって与えられる推進効果のおかげで、悪戦苦闘する必要なくおよび緊張なく泳ぐための確かなリラックスである。
【００８２】
装置の振動慣性は、筋肉運動を正弦曲線運動でスムーズにすることを可能にする。体重の下方への推進力は、水泳者が多くの努力を投入する必要なく、作用／反作用メカニズムによって、上方への推進力に変換される。
【００８３】
加えてうねらせる泳法の際に、装置の振動慣性は、正弦曲線運動をスムーズにすることを可能にし、「中間時間（neutral time）」を上方および下方のフエーズの間で減少させることを可能にする。
【００８４】
使用の状況によって、アクセサリは複数の利点を有する。
・外海または海辺で用いられれば、アクセサリは、うねりの振動エネルギーの一部を回収することができる。
・帆に結合されれば、アクセサリは、機械的な調節ツールとして利用できる。
【００８５】
重りまたはフロートの周期的な上昇または下降を介した共鳴モードが用いられるために、平衡点の周りに共存している作用―反作用力によって至らされる周期的な動きによって、水泳者により供給されたエネルギーを返還することができる。
【００８６】
本発明による水泳アクセサリの目的は、運動およびポテンシャル力を確保することと、水力学的抵抗の結果による動きに対する抵抗を最小化することである。
【００８７】
水泳者の握りによって活性化されるアクセサリは、その時間的な変化が一定のまたは調節可能な振幅を有するほぼ正弦波関数によって記述される調和振動子のように働く。
【００８８】
本発明の改善された実施形態によれば、水泳アクセサリは、バラストベルト（ballast belt）に結合されることができる。本発明は、また、水泳アクセサリ及びそのベルトによって形成されたシステムに関する。そのベルトは、アクセサリおよびボディによって形成されたセットの浮力を平衡させることができる。
【００８９】
本発明はバラストベルトによって、造波抗力およびその抵抗を避けるために水泳者が制御された深さで泳ぐことができる。
【００９０】
アクセサリのバラストまたはフロートの調節は、バラストベルトの使用、不使用を考慮して、および、例えば彼／彼女の体重のような水泳者の体格を考慮して、行われることができる。アクセサリが例えば子供または大人によって使用されるとき、調節は実際には異なる。
【００９１】
水泳者との協働領域の深さのような装置の振動振幅は、バラストの重量、およびフロートの幾何学的形状または表面によって調節可能である。
【００９２】
本発明によるアクセサリは、特にバタフライまたはドルフィン泳法を学ぶように構成されている。それはまた、体のうねりが制御されなければならない平泳ぎを学ぶようにも構成されている。
【００９３】
アクセサリは、さらに、ストロークの際に水泳者の呼吸を改善することができる。吸気のために戻る空気は、水泳者によって選択された又は課せられた無呼吸時間に応じて周期的に調節される。吸気は、装置の浸水深さで両腕を押し付けることによって強制的に行われる。もたれかかりは両腕のアクションに反して行われ、浮力は水力学的な揚力によってそれほどではなく強められる。
【００９４】
アクセサリは、また、フロートが水泳者の背中に置かれている状態で、ベルトのように腰の周りに固定されることができる。このように用いられれば、アクセサリは補助装置を使った振動の利点を取りながら、全身が自由であることを可能にする。
【００９５】
別の使用によれば、アクセサリは、両脚の間で保持されながら足枷のように働かせて使用できる。この使用によって、ピッチおよびうねりの制御を促進することができる。
【００９６】
最終的に、水泳者のうねりのリズムは、装置のうねりの周波数に従うことができる。後者は、フロートの重量を変えることおよび重りとフロートとの間の距離を変えることによって調節されることができる。
【００９７】
本明細書の以下の部分では、本発明の１実施形態を説明するため、およびまた、バラストを有さない水泳補助アクセサリに関する本発明の別の目的を説明するために、図８Ａ、８Ｂ、９Ａ、９Ｂ、９Ｃ、および１０が用いられる。
【００９８】
図８Ａ、８Ｂ、９Ａ、９Ｂ、９Ｃ、および１０を参照して説明される本発明の１実施形態による水泳補助アクセサリ８０は、コンパクトな形状を有することができる。
【００９９】
保持手段６は、水泳者の両手がフロート４３の、およびバラスト３を備える部分の、ジャンクション要素の周りで受け止められることを可能にする。
【０１００】
この実施形態においては、フロートは、好ましくは４０ｃｍよりも小さい幅を有する。この場合、アクセサリはバッグに、特に水泳バックに容易に入れられることができる。
【０１０１】
好ましくは、水中におけるアクセサリの平衡位置において、フロート４３およびバラスト３のジャンクションを形成する保持手段６の部分は、水の抵抗を削減することを可能にする前縁の形を有する。この実施形態においては、本発明の全ての実施形態のように、バラスト３を有するアクセサリの下部は、アクセサリが水中で平衡位置Ｐ１にあり、鉛直に保持されることが必要であるときに、水面下で保持手段の重心を保持するように構成されている。全ての実施形態において、アクセサリの平衡位置は、浮力レベルの基準点を得られるようにそれ（アクセサリ）が鉛直位置にあるときに定義される。
【０１０２】
本発明によるアクセサリの第１グリップは、水泳者が安定した位置を確保することを可能にしながら、それぞれの親指が保持手段をつかむことを可能にする状態で、好ましくは、両手で保持手段を握ることを可能にする。
【０１０３】
本発明によるアクセサリの第２グリップ７０は、「矢状タイプグリップ」と呼ばれ、好ましくは、ストロークの際に両手が互いに重なり合って、それぞれの手の指の間にアクセサリの握りを可能にする。この矢状タイプグリップは、ストロークの際に水泳者のうねりを働かせるという生物力学的観点から特に好ましい。事実、アクセサリは、水泳者がジャンクション要素をしっかりと掴む必要なく、自然に保持される。ストロークの際の水泳者のスピードは、水泳者の両手の間にアクセサリを保持するように、通常、それぞれの手の双方の指の間のジャンクションに、力を及ぼす。
【０１０４】
この実施形態によれば、代替手段におけるバラスト３を有する部分の上部６１は、両手が保持手段６の周りに置かれるときには、両手に対するサポートを形成するように、実質的に平坦であることができる。
【０１０５】
この実施形態と組み合わせることができる別の代替手段によれば、バラスト３を有する部分の上部６１が１または複数の指を受容するためのノッチ６２を備えることができる。
【０１０６】
図８Ａ、８Ｂ、９Ａ、９Ｂ、９Ｃ、および１０で示されるこの実施形態によれば、保持手段の表面は、両手でのグリップ（two-handed grip）に適するように３次元的な体積を有する形状をした表面で延びている。バラスト３を有する下部は、石鹸の小さなバーの形状のような、または上下するマウスのような、空気力学的な形状を有することができる。バラスト３を有する下部の下表面は、その表面で流れを促進するように、少し膨れていることができる。
【０１０７】
従って、この実施形態においては、保持手段６は、バラスト３とフロート４３の間にジャンクションの部分と、ジャンクションの両側にバラスト３を有する部分の側部とを備える。
【０１０８】
本発明の全ての実施形態によれば、アクセサリの平衡位置は、特にアクセサリが使用されるときの水平面に対して垂直な鉛直面Ｐに関して定義されることができる。
【０１０９】
全ての図面に関して本発明の全ての実施形態に共通の特徴は、アクセサリの対称の鉛直面を形成する平面Ｐが、アクセサリの質量中心およびバラスト３の質量中心を有することである。さらに、この同じ平面Ｐが、保持手段６の重心およびフロート４３の重心はもちろん、アクセサリの重心および保持手段６の重心も有する。
【０１１０】
全ての実施形態と同様に、この実施形態においては、保持手段の重心を通る鉛直軸は、バラストの質量中心を通る鉛直軸に実質的に同一である。保持手段の重心を通る鉛直軸は、フロートの重心を通る鉛直軸と実質的に同一であることも、また注記することができる
【０１１１】
従って、後者の実施形態における水泳補助アクセサリはコンパクトな要素になる。全ての実施形態において、水泳補助アクセサリは、水泳者がストロークの際に安定化されることができる鉛直特性を有する。
【０１１２】
本発明の別の目的は、下部にバラストを備えない水泳補助アクセサリに関し、また、図８Ａ、８Ｂ、９Ａ、９Ｂ、９Ｃ、および１０を参照して説明される。
【０１１３】
そのアクセサリは、以下を備える。
・ストロークの際に浸漬されるように設計されたアクセサリの下部を形成するボディと、
・水泳者による両手でのグリップに適したアクセサリの保持手段であって、両手が部分的に重なり合うように設計されており、保持手段はボディの上部に延びており、前記ボディ３の上部はもたれかかり領域を形成する保持手段と、
・重力に反する浮力から生じる鉛直力を、水によってアクセサリに及ぼすことができるフロートと、を備える。
【０１１４】
この実施形態においては、アクセサリの保持手段６は、水泳者の両手の双方が矢状タイプグリップに適するように構成されている。保持手段の一部は、ボディ３とフロート４３との間にジャンクションを形成し、水泳者の少なくとも２つの指の間に配置されるように設計されている。この目的において、下部は、前述の実施形態において指定されたバラストまたはバラストを備える下部である、注記３による同じ指になるように設計されている。
【０１１５】
フロート４３と下部３との間にジャンクションを形成する保持手段の部分は、ストロークの際に少なくとも２つの指の間に導かれるように構成された厚さを有するように形作られている。言い換えれば、ターゲットとなる厚さは５ｃｍより小さい。好ましくは、両手を受容するジャンクションの幅は、３ｃｍより小さい。
【０１１６】
好ましくは、この物体は、一体的に作られることができる。従ってコンパクトである。
【０１１７】
利点は、アクセサリの両側に水の流れを促進する形状を提供しながら、水泳補助アクセサリ８０が保持されることを可能にすることである。
【０１１８】
この目的は、バラストを有さない水泳補助アクセサリと互換性があり、図１Ａ、１Ｂ、２Ａ、２Ｂ、３Ａ、３Ｂ、４Ａ、４Ｂ、４Ｃ、５、６および７を参照してすでに述べた全ての代替形態と組み合わせることができる。特に、アクセサリの、保持手段の、フロートの、下部の、質量中心は、同じ第１の鉛直面にある。さらに、アクセサリの、保持手段の、フロートの、下部の、重心は同じ第２の鉛直面にある。これらの第１および第２の面は、好ましくは一体化されている。
【図１Ａ】
0006374877.tif 000002
【図１Ｂ】
0006374877.tif 000003
【図２Ａ】
0006374877.tif 000004
【図２Ｂ】
0006374877.tif 000005
【図３Ａ】
0006374877.tif 000006
【図３Ｂ】
0006374877.tif 000007
【図４Ａ−４Ｃ】
0006374877.tif 000008
【図５】
0006374877.tif 000009
【図６】
0006374877.tif 000010
【図７】
0006374877.tif 000011
【図８Ａ】
0006374877.tif 000012
【図８Ｂ】
0006374877.tif 000013
【図９Ａ】
0006374877.tif 000014
【図９Ｂ】
0006374877.tif 000015
【図９Ｃ】
0006374877.tif 000016
【図１０】
0006374877.tif 000017